(57)【要約】【課題】より適切な電源電圧発生を達成できる。【解決手段】トランジスタＱ１〜Ｑ４からなる電源電圧発生回路の動作クロックとして、周波数の大きなＣＬＫ、ＸＣＬＫの組、または周波数の小さいα、Ｘαの組のいずれかを選択する。電源立ち上げ時には、ＣＬＫ、ＸＣＬＫの組を採用して、早期に出力電圧を十分なものにする。一方、出力が安定してからは、α、Ｘαを採用することで、消費電力に見合った電源電圧発生を行う。【選択図】図１
2006154329.tif 000002
【特許請求の範囲】
【請求項１】
パルス信号が一端に供給されるコンデンサと、
このコンデンサの他端を電源または出力端に切り替えるスイッチング素子と、
前記出力端に接続され出力電圧を保持する出力コンデンサと、
周波数が異なる２つのパルス信号があり、この２つのパルス信号を前記パルス信号として、前記コンデンサに切り替え供給する切り替え手段と、
前記切り替え手段を制御する制御手段と、
を有し、
前記制御手段は、前記切り替え手段により、電源立ち上がり後、一定時間経過後に２つのパルス信号のうちの１つのパルス信号から他のパルス信号に切り替えることを特徴とする電源電圧発生回路。
【請求項２】
表示パネルであって、
請求項１の電源電圧発生回路として動作する回路を有することを特徴とする表示パネル。
【請求項３】
請求項２に記載の表示パネルであって、
表示における垂直方向の走査のためのシフト信号を生成する垂直ドライブ回路を有し、
この垂直ドライブ回路は、請求項１の電源電圧発生回路の出力をその動作電源として利用し、
かつ、前記垂直ドライブ回路において利用する、１垂直期間毎に出力される垂直出力パルスに基づいて、前記一定時間の経過を検出する一定時間検出回路を有することを特徴とする電源電圧発生回路。
【請求項４】
請求項３に記載の表示パネルであって、
前記一定時間検出回路は、
前記垂直出力パルスを複数回分周して得た複数の信号についての論理演算により、前記一定時間の経過を検出することを特徴とする電源電圧発生回路。
【発明の詳細な説明】
【技術分野】
【０００１】
本発明は、表示パネルなどにおいて利用される電源電圧発生回路に関する。
【背景技術】
【０００２】
従来より、ＬＣＤ、有機ＥＬディスプレイなどの１つの基板上に多数の画素を形成するフラットディスプレイが広く普及している。このような、フラットディスプレイにおいては、マトリクス配置された画素毎に選択トランジスタを配置して、各画素における表示を制御するアクティブマトリクス型のパネルが高精細な表示に好適である。
【０００３】
このようなアクティブマトリクス型のパネルにおいては、表示対象となるビデオ信号を二次元の各画素に供給するために、表示ラインを垂直方向にシフトさせる垂直ドライバが必要になる。
【０００４】
この垂直ドライバでは、１水平期間毎に、選択する画素行を決定する選択信号を出力するために、垂直シフトレジスタを有し、このシフトレジスタにおいて１水平期間毎に選択信号を順次転送することによって、各行の画素を選択するための信号を生成している。
【０００５】
そして、この垂直ドライバにおいて、十分な駆動力を得るためには、所定の大きなダイナミックレンジを得る電源が必要となる。
【０００６】
このため、通常の場合、パネル内において、電源電圧を昇圧または降圧をして電源電圧を大きくする電源電圧発生回路などを設けている。
【０００７】
例えば、０〜８．５Ｖのパルス信号により、−４Ｖ程度の負電源を形成し、この負電源を利用することで、垂直ドライバのダイナミックレンジを十分大きなものとしている。
【０００８】
液晶の垂直ドライバについては、特許文献１などに示されている。
【０００９】
【特許文献１】ＷＯ０２／０９５８３４Ａ１
【発明の開示】
【発明が解決しようとする課題】
【００１０】
ここで、この電源電圧発生回路として、十分な能力のものを用意し、通常時に必要な電圧としては、ツェナーダイオードなどを利用して、一定の電圧を得ている。
【００１１】
特に、電源立ち上げ時においては、数垂直期間程度の時間までに、電源電圧発生回路の出力が十分なものとならない場合には、異常な画面が表示されるため、電源電圧発生回路においての能力をそれに合致させ、通常動作においては、能力が課題になっていた。
【００１２】
本発明は、より適切な電源電圧発生を達成できる電源電圧発生回路を提供する。
【課題を解決するための手段】
【００１３】
本発明は、パルス信号が一端に供給されるコンデンサと、このコンデンサの他端を電源または出力端に切り替えるスイッチング素子と、前記出力端に接続され出力電圧を保持する出力コンデンサと、周波数が異なる２つのパルス信号があり、この２つのパルス信号を前記パルス信号として、前記コンデンサに切り替え供給する切り替え手段と、前記切り替え手段を制御する制御手段と、を有し、前記制御手段は、前記切り替え手段により、電源立ち上がり後、一定時間経過後に２つのパルス信号のうちの１つのパルス信号から他のパルス信号に切り替えることを特徴とする。
【００１４】
また、本発明は、表示パネルであって、上記電源電圧発生回路として動作する回路を有することを特徴とする。
【００１５】
また、表示における垂直方向の走査のためのシフト信号を生成する垂直ドライブ回路を有し、この垂直ドライブ回路は、請求項１の電源電圧発生回路の出力をその動作電源として利用し、かつ、前記垂直ドライブ回路において利用する、１垂直期間毎に出力される垂直出力パルスに基づいて、前記一定時間の経過を検出する一定時間検出回路を有することが好適である。
【００１６】
また、前記一定時間検出回路は、前記垂直出力パルスを複数回分周して得た複数の信号についての論理演算により、前記一定時間の経過を検出することが好適である。
【発明の効果】
【００１７】
本発明によれば、電源立ち上げ後の所定期間経過後に動作クロックを切り替える。例えば、電源立ち上げ当初は、周波数の高いクロックを用いて能力の高い電源生成を行い、早期に出力電源電圧を通常値に持って行き、その後は消費電力に合わせた出力の電源電圧発生回路として動作する。
【００１８】
従って、より適切な電源電圧発生を達成できる。すなわち、消費電力に合わせた出力の電源電圧発生回路とすることで、電源回路の出力電圧が低くなりすぎることを防止することができ、ツェナーダイオードなどの定電圧制御手段が不要となる。また、電源立ち上げ時における電源回路の立ち上がりを早期に行うことができ、異常表示が発生することを防止することができる。
【発明を実施するための最良の形態】
【００１９】
以下、本発明の実施形態について、図面に基づいて説明する。
【００２０】
図１には、実施形態に係る電源電圧発生回路の構成を示す。入力切り替え信号Ａは、スイッチＳＷ１、ＳＷ３の正入力端、スイッチＳＷ２，ＳＷ４の負入力端に入力される。また、入力切り替え信号ＡをインバータＩＮＶ１において反転した信号は、スイッチＳＷ１、ＳＷ３の負入力端、スイッチＳＷ２，ＳＷ４の正入力端に入力される。従って、入力切り替え信号ＡがＨレベルの場合には、スイッチＳＷ１、ＳＷ３がオンし、スイッチＳＷ２，ＳＷ４がオフ、入力切り替え信号ＡがＬレベルの場合には、スイッチＳＷ１、ＳＷ３がオフし、スイッチＳＷ２，ＳＷ４がオンする。
【００２１】
スイッチＳＷ１〜ＳＷ４には、α、ＣＬＫ、ＸＣＬＫ、Ｘαの４つの信号がそれぞれ供給されている。これら４つの信号は、図２に示すように、ＣＬＫ、ＸＣＬＫは、一定周期でＨレベル、Ｌレベルを繰り返す互いに反転したパルス信号であり、α、Ｘαは、ＣＬＫ、ＸＣＬＫの２倍の周期を有する一定周期でＨレベル、Ｌレベルを繰り返す互いに反転したパルス信号である。
【００２２】
従って、信号ＡがＨレベルの場合には、信号α、ＸαがスイッチＳＷ１、ＳＷ３から出力され、信号ＡがＬレベルの場合には、信号ＣＬＫ、ＸＣＬＫがスイッチＳＷ２、ＳＷ４から出力される。
【００２３】
スイッチＳＷ１、ＳＷ２の出力は、コンデンサＣ１の一端に接続され、このコンデンサＣ１の他端は、ｎチャネルトランジスタＱ１と、ｐチャネルトランジスタＱ２の接続点に接続されている。トランジスタＱ１は、ソースが出力端に接続され、ドレインがトランジスタＱ２のドレインに接続されている。トランジスタＱ２のソースはグランドに接続されている。
【００２４】
一方、スイッチＳＷ３、ＳＷ４の出力は、コンデンサＣ２の一端に接続され、このコンデンサＣ２の他端は、ｎチャネルトランジスタＱ３と、ｐチャネルトランジスタＱ４の接続点に接続されている。トランジスタＱ３は、ソースが出力端に接続され、ドレインがトランジスタＱ４のドレインに接続されている。トランジスタＱ４のソースはグランドに接続されている。
【００２５】
また、トランジスタＱ１とトランジスタＱ２の接続点が、トランジスタＱ３，Ｑ４のゲートに接続され、トランジスタＱ１とトランジスタＱ２の接続点が、トランジスタＱ３，Ｑ４のゲートに接続されている。
【００２６】
このように、トランジスタＱ１，Ｑ２と、トランジスタＱ３，Ｑ４は、対称な構成となっており、両者は相補的に動作する。
【００２７】
さらに、出力端は、パネルのＶＢＢ端子に外付けされているコンデンサＣ３に接続され、このコンデンサＣ３の他端は、グランドに接続されている。
【００２８】
まず、上述のように入力切り替え信号Ａによって、信号α、ＸαまたはＣＬＫ、ＸＣＬＫのいずれかの組が選択される。これらの信号は、図２に示すように、信号αの反転がＸαであり、信号ＣＬＫの反転が信号ＸＣＬＫであり、信号α、Ｘαの周波数は、信号ＣＬＫ、ＸＣＬＫの周波数の１／２である。
【００２９】
そして、信号α、ＸαまたはＣＬＫ、ＸＣＬＫのいずれかが、コンデンサＣ１，Ｃ２の一端に印加される。
【００３０】
例えば、信号α、Ｘα、ＣＬＫ、ＸＣＬＫが０Ｖ−８．５Ｖのパルスであるとし、グランドが０Ｖとであるとする。この回路においては、出力端に負の電圧が得られ、この出力端の電圧ＶＢＢが−４Ｖであるとする。
【００３１】
トランジスタＱ１，Ｑ２の接続点およびトランジスタＱ３，Ｑ４の接続点は、トランジスタＱ１，Ｑ２およびＱ３，Ｑ４が相補的にオンすることから、出力端電圧ＶＢＢと、グランド電圧に交互に設定される。また、トランジスタＱ１，Ｑ２の接続点と、トランジスタＱ３，Ｑ４の接続点の電圧の位相は反対になる。
【００３２】
そして、Ｃ１の一端が０Ｖのとき、Ｃ２の一端は８．５Ｖであり、トランジスタＱ１がオン、トランジスタＱ２がオフでこれらの接続点は−４Ｖ、トランジスタＱ３がオフ、トランジスタＱ４がオンでこれらの接続点は０Ｖとなっている。この際、コンデンサＣ１には、４Ｖが充電され、コンデンサＣ２には８．５Ｖが充電される。
【００３３】
次に、Ｃ１の一端が８．５Ｖになると、コンデンサＣ１の他端は、４．５Ｖになろうとするが、トランジスタＱ２がオンするため、０Ｖになり、コンデンサＣ１には、８．５Ｖが充電される。一方、コンデンサＣ２の一端が０Ｖになると、その他端は、−８．５Ｖになろうとする。また、このとき、トランジスタＱ３がオン、トランジスタＱ４がオフである。従って、出力端電圧ＶＢＢが、−８．５Ｖになろうとし、対応する電荷がコンデンサＣ３に充電される。
【００３４】
このように、コンデンサＣ１、Ｃ２は、一端が８．５Ｖの際に、他端が０Ｖになり、８．５Ｖ充電され、一端が０Ｖの際に他端を−８．５Ｖになるように電荷を移動させる。これによって、コンデンサＣ３の充電が行われ、出力端からの電荷の放出がなければ、出力端電圧ＶＢＢは−８．５Ｖにまで、下降する。
【００３５】
ここで、信号α、Ｘαを選択してこの回路を駆動した際に、コンデンサＣ３が４Ｖ程度に充電されるように、本回路の特性が、消費電力に対し決定されている。従って、信号ＡをＬレベルとしたときに、出力端電圧ＶＢＢは、−４Ｖに維持される。従って、コンデンサＣ３と並列に、ツェナーダイオードなどを設ける必要はない。
【００３６】
一方、パネルのパワーオンによる電源立ち上がり時においては、出力端電圧ＶＢＢは、０Ｖである。この場合も、上述と同様に、回路は動作し、コンデンサＣ３に充電して、出力端電圧ＶＢＢを−８．５Ｖにしようとする。出力端電圧ＶＢＢが０Ｖであるのに対し、電荷を輸送するため、１回あたりの充電電荷量も大きくなる。しかし、信号α、Ｘαを利用した電荷の輸送量は、電力消費量に対応して決定されており、また電源電圧の大きな変動を防止するため、コンデンサＣ３の容量は比較的大きい。従って、出力端電圧ＶＢＢが−４Ｖになるまでには、かなりの時間がかかる。
【００３７】
特に、電源立ち上げ後、数垂直期間程度の時間で、出力端電圧ＶＢＢが−４Ｖ程度に達しないと、異常な画面が表示されてしまう。
【００３８】
そこで、本実施形態では、電源立ち上げ時においては、信号ＡがＬレベルにセットされる。これによって、信号ＣＬＫ、ＸＣＬＫが選択される。この信号ＣＬＫ、ＸＣＬＫの周波数は、信号α、Ｘαの２倍であり、コンデンサＣ３への電荷輸送能力も２倍になる。従って、出力端電圧ＶＢＢが−４Ｖになるまでの時間を大幅に短縮して異常画面が表示されることを防止することができる。
【００３９】
ここで、本回路の出力端電圧ＶＢＢは、液晶や有機ＥＬなど表示パネルにおける垂直ドライバにおける負電源として利用される。この垂直ドライバは、表示パネルの１水平期間毎に１水平ラインを選択する。これは、１水平ラインの画素行に対応して設けられた選択ラインに選択信号を順次供給することによって行う。
【００４０】
垂直ドライバは、１水平期間毎に、転送クロックをシフトするシフトレジスタを有し、このシフトレジスタの最後の転送クロックとして、図３に示す信号ＶＯＵＴ（垂直出力パルス）が出力される。
【００４１】
本実施形態では、図３に示すように、ＶＯＵＴから、Ｑ１、反転Ｑ２（図３においてはＱ２アッパーバーで示す）、反転Ｑ３（図３においてはＱ３アッパーバーで示す）の３つの信号を形成する。これらＶＯＵＴを分周することによって、容易に得ることができる。Ｑ１は、ＶＯＵＴと同一周期で、１垂直期間毎にＨレベルとＬレベルを繰り返す信号であり、Ｑ２は２垂直期間毎にＨレベルとＬレベルを繰り返す信号であり、Ｑ３は４垂直期間毎にＨレベルとＬレベルを繰り返す信号である。
【００４２】
そして、上記３つの信号Ｑ１、反転Ｑ２、反転Ｑ３から、図４に示す回路によって、入力切り替え信号Ａが生成される。
【００４３】
すなわち、信号Ｑ１、反転Ｑ２、反転Ｑ３は、ナンドゲートＮＡＮＤに入力される。このナンドゲートＮＡＮＤの出力は、インバータＩＮＶ１およびスイッチＳ１を介し、ノアゲートＮＯＲ１に入力される。ノアゲートＮＯＲ１の出力は、ノアゲートＮＯＲ２に入力され、このノアゲートＮＯＲ２の出力は、ノアゲートＮＯＲ１に入力される。ノアゲートＮＯＲ２には、リセット信号Ｒも入力されている。
【００４４】
ノアゲートＮＯＲ２の出力は、信号Ａとして出力される。この信号Ａは、スイッチＳ１のローアクティブ制御端に入力されるとともに、インバータＩＮＶ２によって反転されてハイアクティブ制御端に入力される。従って、信号ＡがＬレベルの時にスイッチＳ１は、信号を通過させ、Ｈレベルの時に信号を遮断する。
【００４５】
また、信号Ａは、スイッチＳ２のハイアクティブ制御端に入力されるとともに、インバータＩＮＶ２によって反転されてローアクティブ制御端に入力される。そして、スイッチＳ２は、ノアゲートＮＯＲ２の出力と、ノアゲートＮＯＲ１の入力であってスイッチＳ１の出力を受け入れる入力に接続されている。従って、ノアゲートＮＯＲ２の出力がＬレベルの時にスイッチＳ２は、信号を遮断し、Ｈレベルの時に信号を通過させる。
【００４６】
スイッチＳ１，Ｓ２により、信号ＡがＬの場合には、ナンドゲートＮＡＮＤの出力がインバータＩＮＶ１で反転されてからノアゲートＮＯＲ１に入力され、信号ＡがＨレベルの時は信号ＡがナンドゲートＮＡＮＤに入力され、ナンドゲートＮＡＮＤの出力によらず、ノアゲートＮＯＲ１の出力がＬに固定される。
【００４７】
この回路において、電源立ち上げ時においては、まずリセット信号Ｒを一旦Ｈレベルにして、ノアゲートＮＯＲ２の出力である信号ＡをＬレベルにセットする。この状態で、最初のＶＯＵＴの立ち上がりにより、反転Ｑ２，反転Ｑ３がＬレベルとなり、ナンドゲートＮＡＮＤの出力はＨレベルになる。リセット信号Ｒは、Ｌレベルにセットされるため、ノアゲートＮＯＲ２の出力である信号Ａは、Ｌレベルになり、スイッチＳ１が通過、スイッチＳ２が遮断にセットされる。従って、インバータＩＮＶ１により反転されたＬレベルがノアゲートＮＯＲ１に入力される。ここで、信号ＡはＬレベルであり、ノアゲートＮＯＲ１の２つの入力ともＬレベルとなり、その出力はＨレベルになる。これによって、ノアゲートＮＯＲ２の入力は、ＨレベルとＬレベルとなって安定する。
【００４８】
７つめのＶＯＵＴの立ち上がりによって、信号Ｑ１、反転Ｑ２、反転Ｑ３がすべてＨレベルになって、ナンドゲートＮＡＮＤの出力がＬレベルになる。これによって、ノアゲートＮＯＲ１の出力がＬレベルに変化して、ノアゲートＮＯＲ２の出力である信号ＡがＨレベルに変化する。これによって、スイッチＳ１が遮断、スイッチＳ２が通過となり、ノアゲートＮＯＲ１の１つの入力がＨレベルに固定され、信号ＡがＨレベルに固定される。
【００４９】
また、この状態で、リセット信号ＲをＨレベルにセットすることによって、信号Ａが初期状態に戻り、上述と同様の動作が行われる。なお、このリセット信号Ｒは、信号Ｑ１，Ｑ２，Ｑ３を生成するための分周回路にも、供給され、分周回路を構成するフリップフロップなどをリセットするとよい。
【００５０】
このようにして、電源立ち上げ時においてＬレベルで、所定期間後にＨレベルに変化する信号Ａが生成され、これが図１のスイッチＳＷ１〜ＳＷ４の制御に利用される。
【００５１】
図５には、信号ＣＬＫ、ＸＣＬＫから、信号α、Ｘαを生成するための分周回路を示す。
【００５２】
ローアクティブ端子にＸＣＬＫ、ハイアクティブ端子にＣＬＫが供給されるゲートインバータＧＩ１１の出力は、インバータＩＮＶ１１を介し、ゲートインバータＧＩ１２に入力される。このゲートインバータＧＩ１２は、ローアクティブ端子にＣＬＫ、ハイアクティブ端子にＸＣＬＫが供給されている。そして、ゲートインバータＧＩ１２の出力は、インバータＩＮＶ１１の入力に接続されている。
【００５３】
ＩＮＶ１１の出力は、ローアクティブ端子にＣＬＫ、ハイアクティブ端子にＸＣＬＫが供給されるゲートインバータＧＩ２１に入力される。このゲートインバータＧＩ２１の出力は、インバータＩＮＶ２１を介し、ゲートインバータＧＩ２２に入力される。このゲートインバータＧＩ２２は、ローアクティブ端子にＸＣＬＫ、ハイアクティブ端子にＣＬＫが供給されている。そして、ゲートインバータＧＩ２２の出力は、インバータＩＮＶ２１の入力（ゲートインバータＧＩ２１の出力）に接続されている。また、ゲートインバータＧＩ２１の出力（インバータＩＮＶ２１の入力）は、ゲートインバータＧＩ１１の入力に接続されている。なお、ゲートインバータＧＩ２１の出力が信号α、インバータＩＮＶ２１の出力が信号Ｘαである。
【００５４】
図２に示すように、ＣＬＫがＬレベルＸＣＬＫがＨレベルであると、ゲートインバータＧＩ１２、ＧＩ２１が動作状態、ゲートインバータＧＩ１１、ＧＩ２２が非動作状態となる。そして、この状態で、信号αがＬレベルであるので、インバータＩＮＶ１１の出力はＨレベルであって、ゲートインバータＧＩ２１入力がＨレベルになっている。従って、ゲートインバータＧＩ２１の出力である信号αはＬレベル、インバータＩＮＶ２１の出力である信号ＸαはＨレベルとなっている。
【００５５】
次に、ＣＬＫがＨレベル、ＸＣＬＫがＬレベルに変化すると、ゲートインバータＧＩ１１、ＧＩ２２が動作状態、ゲートインバータＧＩ１２、ＧＩ２１が非動作状態になる。そして、信号αがＬレベルであり、ゲートインバータＧＩ１１の出力はＨレベル、インバータＩＮＶ１１の出力はＬレベルとなる。一方、ゲートインバータＧＩ２２の出力である信号αはＬレベル、インバータＩＮＶ２１の出力である信号ＸαはＨレベルとなる。従って、信号α、Ｘαについての変化はない。
【００５６】
次に、ＣＬＫがＬレベルＸＣＬＫがＨレベルになると、再びゲートインバータＧＩ１２、ＧＩ２１が動作状態、ゲートインバータＧＩ１１、ＧＩ２２が非動作状態となる。そして、この状態で、インバータＩＮＶ１１の出力は、Ｌレベルであり、ゲートインバータＧＩ２１の出力であるインバータ信号αがＨレベルとなる。このため、インバータＩＮＶ２１の出力である信号ＸαはＨレベルとなる。
【００５７】
このようにして、この分周回路によって、ＣＬＫ、ＸＣＬＫを１／２分周した信号α、Ｘαが生成出力され、これが図１におけるスイッチＳＷ１、ＳＷ４に供給される。
【００５８】
本実施形態によれば、垂直同期期間毎に発生されるＶＯＵＴに基づいて、電源立ち上げ後の所定期間経過後に入力切り替え信号Ａを変化させる。そして、この入力切り替え信号によって、負電源電圧発生回路の動作クロックを切り替える。すなわち、電源立ち上げ当初は、周波数の高いクロックを用いて能力の高い電源生成を行い、早期に出力電源電圧を通常値に持って行き、その後は消費電力に合わせた出力の電源電圧発生回路として動作する。
【００５９】
このように、消費電力に合わせた出力の電源電圧発生回路とすることで、電源回路の出力電圧が低くなりすぎることを防止することができ、ツェナーダイオードなどの定電圧制御手段が不要となる。そして、電源立ち上げ時における電源回路の立ち上がりを早期に行うことができ、異常表示が発生することを防止することができる。
【００６０】
また、クロックを切り替えるための入力切り替え信号Ａを、１垂直ライン毎に発生するＶＯＵＴに基づいて、生成される複数の分周信号の論理演算によって発生するため、その発生のための回路がタイマーなどに比べ簡単であり、また適切なタイミングでのクロックの切り替えを行うことができる。
【００６１】
また、電源立ち上げ時の動作クロックとして、通常のものの２倍のクロックを用いるため、簡単な分周回路で、電源立ち上げ時の動作クロックを生成することができる。
【図面の簡単な説明】
【００６２】
【図１】電源電圧発生回路の構成を示す図である。
【図２】動作クロックを示す図である。
【図３】図４の回路の各所の信号波形を示す図である。
【図４】入力切り替え信号Ａの発生回路を示す図である。
【図５】分周回路の構成を示す図である。
【符号の説明】
【００６３】
Ｃ１，Ｃ２，Ｃ３  コンデンサ、ＧＩ１１，ＧＩ１２，ＧＩ２１，ＧＩ２２  ゲートインバータ、ＩＮＶ１，ＩＮＶ１１，ＩＮＶ２，ＩＮＶ２１  インバータ、ＮＡＮＤ１  ナンドゲート、ＮＯＲ１，ＮＯＲ２  ノアゲート、Ｑ１〜Ｑ４  トランジスタ、Ｓ１，Ｓ２，ＳＷ１〜ＳＷ４  スイッチ。
【図１】
2006154329.tif 000003
【図２】
2006154329.tif 000004
【図３】
2006154329.tif 000005
【図４】
2006154329.tif 000006
【図５】
2006154329.tif 000007